(57)【要約】【課題】天井下地を構築するために用いられる天井下地材の接続具等に関し、大形の材料との接続が可能で、しかも構成及び取扱いが簡単で施工性にも優れた天井下地材の接続具等を提供することを目的とする。【解決手段】天井下地を構成する水平材４として、突片部２２が設けられたものを用い、横材６として、両側面部２６，２６の上端部に縁部２８，２８が設けられたものを用い、固定板部３０の後部に形成され、水平材４の突片部２２に掛止される掛止部３２が設けられた上部材８と、基板部４０の両端部に溝状部３８，３８が設けられた下部材１０と、を有し、掛止部３２を突片部２２に掛止させる一方、横材６に収納した下部材１０の各溝状部３８，３８に、横材６の各縁部２８，２８を係止させ、この状態で、固定板部３０と基板部４０とを止着具１２で締め付け、水平材４の下部に横材６を接続する構成である。【選択図】図１
2019152065.tif 000002
【特許請求の範囲】
【請求項１】
天井下地を構成する水平材として、この水平材の下部を形成する下板部の前端部から、上方に突出形成される突片部が設けられたものを用いる一方、横材として、上部に開口部が形成された両側面部の上端部から、それぞれ内側に屈曲形成される縁部が設けられたものを用い、
上記水平材と、当該水平材の下部にこれと交差して配置される上記横材とを接続する天井下地材の接続具であって、
固定板部、及びこの固定板部の後部に形成され、上記水平材の上記突片部に掛止される逆Ｕ字状の掛止部が設けられた上部材と、
平坦な基板部、及びこの基板部の両端部にそれぞれ前後方向に形成され、上記横材の上記各縁部をそれぞれ係止させる溝状部が設けられた下部材と、を有し、
上記上部材の上記掛止部を上記水平材の突片部に掛止させる一方、上記横材の内部に収納した上記下部材の上記各溝状部に、それぞれ上記横材の上記各縁部を係止させ、この状態で、上記上部材の固定板部と上記下部材の上記基板部とを止着具で締め付けて上記両部材同士を締結し、上記水平材の下部に上記横材を接続することを特徴とする天井下地材の接続具。
【請求項２】
上記上部材の掛止部は、上記固定板部の後部から上方に立設する立上り片、この立上り片の頂部から後方斜め下方に屈曲形成された傾斜片、及びこの傾斜片の下端部から上記固定板部と平行な向きに屈曲形成された当接片を有し、
上記止着具で上記上部材と上記下部材とを締結した状態において、上記上部材の上記掛止部を上記水平材の上記突片部に掛止させるとともに、上記当接片を上記水平材の上記下板部の上面部に当接させ、上記上部材の掛止部と当接片とを同時に上記水平材に保持させることを特徴とする請求項１に記載の天井下地材の接続具。
【請求項３】
上記下部材を、上記横材の開口部から内部に収納可能な長方形状に形成し、互いに向かい合う対角の各角部を切除してそれぞれ面取り部を形成したことを特徴とする請求項１又は２に記載の天井下地材の接続具。
【請求項４】
請求項１乃至３の何れかに記載の天井下地材の接続具を用い、上記水平材として天井の骨組みを構成する梁材を適用し、この梁材の下部に上記横材として天井材を敷設する野縁材を接続したことを特徴とする天井下地材の接続構造。
【発明の詳細な説明】
【技術分野】
【０００１】
本発明は、天井下地を構築するために用いられる天井下地材の接続具及びこれを用いた天井下地材の接続構造に関する。
【背景技術】
【０００２】
従来、建物の天井下地材として、野縁材等に天井材を敷設する天井構造が知られている。
例えば特許文献１の野縁保持具は、図６に示すように、野縁部材５０を野縁受け部材５２に接続する野縁保持具５４であって、野縁受け部材５２を挟持する一対の保持具本体５６と、これらの下部に設けられ、野縁部材５０の溝部５８に係止可能な野縁取付部６０と下部連結手段６２と、保持具本体５６上部同士を突き合わせる位置決め手段６４とビス６６とを備えることで、天井構造の施工が簡単になるというものである。
【０００３】
特許文献２に記載の天井下地材は、野縁受と野縁とを連結するクリップと、連結部材とを有し、上記クリップは、第一クリップ部と第二クリップ部の各胴部で野縁受けを挟み、各クリップ部をボルトで結合し、また上記連結部材は野縁を跨ぐように野縁に被せられて側板部に固定される野縁固定部、及び下方から下板部に固定される野縁受け固定部を備えることで、作業性の低下が抑制できるというものである。
【先行技術文献】
【特許文献】
【０００４】
【特許文献１】特開２０１５−１８３３９７号公報
【特許文献２】特開２０１６−３５１４２号公報
【発明の概要】
【発明が解決しようとする課題】
【０００５】
さて、上記特許文献１に記載の野縁保持具は、一対の保持具本体５６で野縁受け部材５２を挟持する構成であるため、野縁受け部材５２が、梁材などの比較的大きな断面の材料の場合には、これを挟持するのは実用的ではなく使用には不向きであるという問題がある。特許文献２についても、クリップの第一クリップ部と第二クリップ部の各胴部で野縁受けを挟む構成であるため、上記と同様の問題がある。
【０００６】
本発明は上記問題点を解決するためになされたものであり、梁材等の大形の材料との接続が可能であり、しかも構成及び取扱いが簡単で施工性にも優れた天井下地材の接続具及びこれを使用した天井下地材の接続構造を提供することを目的とする。
【課題を解決するための手段】
【０００７】
以上の技術的課題を解決するため、本発明は図１等に示すように、天井下地を構成する水平材４として、この水平材４の下部を形成する下板部１８の前端部から、上方に突出形成される突片部２２が設けられたものを用いる一方、横材６として、上部に開口部２７が形成された両側面部２６，２６の上端部から、それぞれ内側に屈曲形成される縁部２８，２８が設けられたものを用い、上記水平材４と、当該水平材４の下部にこれと交差して配置される上記横材６とを接続する天井下地材の接続具であって、固定板部３０、及びこの固定板部３０の後部に形成され、上記水平材４の上記突片部２２に掛止される逆Ｕ字状の掛止部３２が設けられた上部材８と、平坦な基板部４０、及びこの基板部４０の両端部にそれぞれ前後方向に形成され、上記横材６の上記各縁部２８，２８をそれぞれ係止させる溝状部３８，３８が設けられた下部材１０と、を有し、上記上部材８の上記掛止部３２を上記水平材４の突片部２２に掛止させる一方、上記横材６の内部に収納した上記下部材１０の上記各溝状部３８，３８に、それぞれ上記横材６の上記各縁部２８，２８を係止させ、この状態で、上記上部材８の固定板部３０と上記下部材１０の上記基板部４０とを止着具１２で締め付けて上記両部材同士を締結し、上記水平材４の下部に上記横材６を接続する構成である。
【０００８】
また、本発明に係る天井下地材の接続具に係り、上記上部材８の掛止部３２は、上記固定板部３０の後部から上方に立設する立上り片３４、この立上り片３４の頂部３３から後方斜め下方に屈曲形成された傾斜片３５、及びこの傾斜片３５の下端部から上記固定板部３０と平行な向きに屈曲形成された当接片３６を有し、上記止着具１２で上記上部材８と上記下部材１０とを締結した状態において、上記上部材８の上記掛止部３２を上記水平材４の上記突片部２２に掛止させるとともに、上記当接片３６を上記水平材４の上記下板部１８の上面部に当接させ、上記上部材８の掛止部３２と当接片３６とを同時に上記水平材４に保持させる構成である。
【０００９】
本発明に係る天井下地材の接続具は、上記下部材１０を、上記横材６の開口部２７から内部に収納可能な長方形状に形成し、互いに向かい合う対角の各角部を切除してそれぞれ面取り部４８を形成した構成である。
【００１０】
本発明に係る天井下地材の接続構造は、上記何れかに記載の天井下地材の接続具を用い、上記水平材４として天井の骨組みを構成する梁材を適用し、この梁材の下部に上記横材６として天井材を敷設する野縁材を接続した構成である。
【発明の効果】
【００１１】
本発明に係る天井下地材の接続具によれば、天井下地を構成する水平材として突片部が設けられ、横材として縁部が設けられたものを用い、水平材と横材とを接続する天井下地材の接続具であって、固定板部及び掛止部が設けられた上部材と、基板部及び溝状部が設けられた下部材とを有し、掛止部を突片部に掛止させる一方、横材に収納した下部材の各溝状部に上記各縁部を係止させ、固定板部と基板部とを止着具で締め付けて両部材同士を締結し、水平材の下部に上記横材を接続する構成としたから、簡単な構成で、且つ取扱いが簡単で施工性に優れ、しかも大形の材料との接続も可能で汎用性にも優れるという効果を奏する。
【００１２】
本発明に係る天井下地材の接続具によれば、上部材の掛止部は後方斜め下方に屈曲形成された傾斜片の下端部から屈曲形成された当接片を有し、上部材の掛止部を突片部に掛止させるとともに、当接片を水平材の下板部の上面部に当接させたことにより、上部材の保持が二箇所で行われることから、水平材に接続された横材の傾き或いは揺れ等に対して安定した保持及び接続が確保されるという効果がある。
【００１３】
本発明に係る天井下地材の接続具によれば、下部材を長方形状に形成し対角の各角部に面取り部を形成したから、下部材の横材内への配置及び回動（９０度）操作が容易に行えて作業がやり易いという効果がある。
【００１４】
本発明に係る天井下地材の接続構造によれば、水平材として梁材を適用し横材として野縁材を接続する構成としたから、水平材として梁材等の大形の材料との接続が可能で汎用性に富み、しかも取扱いが簡単で施工性にも優れ、また天井裏のスペースが狭くて済むという効果がある。
【図面の簡単な説明】
【００１５】
【図１】実施の形態に係り、天井下地材の接続具及びこれを用いた天井下地材の接続構造を示す図である。
【図２】実施の形態に係る天井下地材の接続具の、（ａ）は斜視図、（ｂ）は分解斜視図である。
【図３】実施の形態に係る天井下地材の接続具の、（ａ）は梁材との関係を示す側面図、（ｂ）は底面図である。
【図４】実施の形態に係り、天井下地材の接続具を用いた天井下地材の接続構造の側面を示す図である。
【図５】実施の形態に係り、天井下地材の接続具を用いた天井下地材の接続構造の正面を示す図である。
【図６】従来例に係る野縁保持具を示す図である。
【発明を実施するための形態】
【００１６】
以下、本発明の実施の形態を図面に基づいて説明する。
図１は、実施の形態に係る天井下地材の接続具及び天井下地材の接続構造を示したものである。上記天井下地材の接続具２は、天井下地材である水平材としての梁材４と、この梁材４の下部に、これと直交して配置される横材としての野縁材６とを接続するものである。上記天井下地材の接続具２は、上部材８、下部材１０及びこれら両部材を締結する止着具としてのボルト１２を有する。
【００１７】
上記梁材４は、天井下地の構造物として用いられ、断面Ｃ形のＣ型鋼からなる長尺材である。梁材４は、上板部１４、側板部１６及び下板部１８を有し、前部は開放されて開口部位２０が形成されている。
また、梁材４の下板部１８には、この下板部１８の前部から上向き（直角）に屈曲形成された突片部２２が形成されている。
【００１８】
上記野縁材６は、断面Ｕ字状の軽量鋼材からなる長尺材である。この野縁材６は、底板部２４及びこの底板部２４の左右の側面部２６，２６を有し、上部は開放されて開口部２７が形成されている。さらに、野縁材６の左右の側面部２６，２６の各上部には、それぞれ内側に逆Ｕ字状に屈曲形成された縁部２８，２８が形成されている。野縁材６は、下部に天井材として仕上げ用の天井板等を取り付け、これらを天井に敷設する。
【００１９】
図２（ａ）（ｂ）に示すように、上記接続具２は鋼板を屈曲成形したものである。この接続具２の上部材８は、前側に形成された平坦な固定板部３０及びこの固定板部３０の後端部から立設され、上部が逆Ｕ字状に屈曲形成された掛止部３２からなる。固定板部３０の中央部には、ボルト１２を挿通させる挿通孔３１が設けられている。
【００２０】
上記掛止部３２は、固定板部３０の後端部から上方に向け直角に立設された立上り片３４、この立上り片３４の頂部３３から後側に向け斜め下方に屈曲形成された傾斜片３５、及びこの傾斜片３５の下部から後方に向けて屈曲され、固定板部３０と平行な向きに形成された当接片３６からなる。
【００２１】
図３（ａ）（ｂ）に示すように、上記接続具２の下部材１０は、長辺部４１と短辺部４２からなる長方形状であり、この長辺部４１の一方が前部、他方が後部となる。下部材１０の短辺部４２の寸法は、この下部材１０が野縁材６の開口部２７より収納可能な長さにしている。
また下部材１０は、平坦な基板部４０の左右の端部には、それぞれ前後方向に溝状部３８，３８が形成されている。これら溝状部３８，３８の断面は、何れも断面Ｖ字状であり、溝の下部から斜め上方に向けた傾斜部４５，４５が形成されている。基板部４０の中央前寄りの部位には、ボルト１２の螺子孔４６が形成されている。
【００２２】
また、下部材１０には、互いに対角に向い合う各角部は、それぞれ角を切り欠き切除した面取り部４８，４８が形成されている。
接続具２の下部材１０を野縁材６に取り付ける際には、下部材１０の長辺部４１側を野縁材６と沿う向きに配置し、この野縁材６の開口部２７から内部に納める。そして、野縁材６内の下部材１０を９０度回動させ、短辺部４２側の溝状部３８，３８を前後方向に向け、それぞれ野縁材６の縁部２８，２８を係止させる。
【００２３】
この際、下部材１０を回す方向は、下部材１０の面取り部４８，４８が、それぞれ各面取り部４８，４８が位置する側の野縁材６の側面部２６，２６に近づく方向（ここでは右回り）に回す。なお、下部材１０を上記と逆方向に回すと、下部材１０の面取り部４８，４８を設けてない角部が、野縁材６の側面部２６，２６に当たって回し辛い。
【００２４】
さて、天井下地の骨組的要素としての梁材４は、所定間隔をおいて一定の高さに施工される。そして、これら梁材４の下部に、梁材４とは直交方向に野縁材６を一定間隔で取り付ける。この際、上記天井下地材の接続具２を用いて、梁材４の下部に野縁材６を取り付ける。
【００２５】
先ず、接続具２の上部材８の掛止部３２を梁材４の突片部２２に掛止させる。そして、梁材４の下部にこの梁材４と直交する向きに野縁材６を配置し、接続具２の下部材１０を、野縁材６の開口部２７から内部に嵌める。
このとき、下部材１０を、その長辺部４１を野縁材６の開口部２７に沿う方向と平行にして嵌める。さらに、各面取り部４８，４８が野縁材６の側面部２６，２６と接する方向に、下部材１０を９０度程度回す。
【００２６】
これにより、下部材１０の各溝状部３８，３８が、それぞれ野縁材６の縁部２８，２８の下側に位置する。そして、この状態でワッシャー１３を介在させたボルト１２を、上部材８の挿通孔３１に嵌めて下部材１０の螺子孔４６に捩じ込み、下部材１０を上部材８に締結し両部材を接合する。
なお、上記ボルト１２は、予め上部材８と下部材１０間に嵌め、緩く下部材１０の螺子孔４６に捩じ込んでおき、この状態で、上部材８を突片部２２に掛止し、下部材１０を野縁材６の下部に係合させて、両部材を締結するようにしてもよい。
【００２７】
この状態で、野縁材６の縁部２８，２８が下部材１０に係止され、この下部材１０が、上記梁材４に掛止した上部材８に一体接合される。これにより、上部材８及び下部材１０からなる接続具２により、野縁材６が梁材４の下部に接続され固定される。野縁材６の他の箇所、及び他の野縁材６についても、同様に、接続具２を用いて梁材４の下部に取り付け固定する。
【００２８】
なお、接続具２として、上部材８と下部材１０とを締結する止着具１２については、ここではボルト１２を用いたが、これは他にボルト、ナットの組み合わせたものを用いても良い。この場合には、上部材８の固定板部３０設けた挿通孔３１と同様、下部材１０についても、螺子孔４６に代えてボルトの挿通孔を設ける。そして、上から上部材８と下部材１０間にボルトを挿通し、下部材１０の下からナットを締めて両部材を締結する。
【００２９】
図４は、接続具２の上部材８と下部材１０とをボルト１２で締結し、天井下地材としての梁材４の下部に野縁材６を接続した状態を示している。
この状態で、上部材８の掛止部３２が水平材４の突片部２２に掛止され、また上部材８の当接片３６が水平材４の下板部１８の上面部に当接されている。また、接続具２の下部材１０の基板部４０の上面部は、上部材８の固定板部３０の下面部に当接し、同時に上記基板部４０の上面部は、梁材４の下板部１８の下面部にも当接している。そして、上部材８の固定板部３０の下面部と梁材４の下板部１８の下面部とは、同じ高さ（同一平面上）である。
【００３０】
このように、ここでは図３（ａ）に示すように、梁材４の突片部２２の高さ（Ｈ１）（下板部１８の下面部からの高さ）は、接続具２の上部材８の掛止部３２の内側の高さ（Ｈ２）（固定板部３０の下面部から頂部３３の内部までの高さ）と同一としている（Ｈ１＝Ｈ２）。
さらに、上部材８の固定板部３０の下面部から、上部材８の当接片３６の下面部までの高さ（Ｈ３）は、梁材４の下板部１８の板厚（Ｈ４）と同一としている（Ｈ３＝Ｈ４）。
【００３１】
上記構成により、接続具２による接続後は、上部材８の掛止部３２には梁材４の突片部２２の先端部が当接し、この突片部２２によって上部材８が梁材４に保持され、これと同時に、上部材８の当接片３６は梁材４の下板部１０に当接していることから、この当接片３６によっても上部材８が梁材４に保持される状態となる。
このため、上部材８の当接片３６は、梁材４の下板部１８の上面部に当接しこれを押える形態であるため、接続具２の傾きが防止され、野縁材６が傾き或いは揺れなどの作用が生じても、接続具２がこれに追従することなく野縁材６を支持する。
【００３２】
また接続具２は、上部材８の掛止部３２と当接片３６との二箇所で梁材４を捉え、併せて下部材１０で野縁材６を支持することになる。このため、梁材４の突片部２２或いは接続具２の上部材８の精度に多少の誤差があった場合であっても、上部材８の掛止部３２と当接片３６とが、互いに相手をカバーしながら梁材４を捉えて野縁材６を支持し、接続具２としての接続機能が良好に保てる。
【００３３】
さらに、図５に示すように、接続具２の下部材１０に形成された溝状部３８，３８は、それぞれ断面がＶ字状に形成され、斜め上方に傾斜部４５が設けられた形状である。
このため、下部材１０の溝状部３８，３８に、それぞれ野縁材６の縁部２８，２８を係止させた場合、これら縁部２８，２８の下向きに屈曲した先端部が、それぞれ溝状部３８，３８の傾斜部４５，４５に当接した状態となる。
【００３４】
この状態で、接続具２の上部材８と下部材１０とがボルト１２で締結されると、上部材８の固定板部３０の下面部により縁部２８，２８が押圧され、縁部２８，２８の先端部が溝状部３８，３８の傾斜部４５，４５に食い込むように係止される。これにより、接続具２の下部材１０に野縁材６が強固に係止され、下部材１０に対する野縁材６の接続が確実に行われる。
【００３５】
また、ここでは梁材４としてＣ型鋼を用いたが、これは他に断面Ｚ形のＺ型鋼、或いはＬ形のＬ型鋼等を用いることができる。要は、梁材４として、断面の下部に平坦な下板部が形成され、この前端部から上向き（直角）に突片部が形成された形状の材料であれば適用可能である。
上記梁材４の下部に野縁材６を取り付け後には、野縁材６の下部に天井材として仕上げ用の天井板を張りつけ、天井の敷設を行う。
【００３６】
従って、上記実施の形態によれば、簡単な構成の接続具によって、梁材の下部に野縁材が簡単且つ強固に接続され、また接続作業も容易で施工性に優れるという効果がある。さらに、天井の梁材等の大型の材料との接続が可能であり、また梁材等に直接野縁材を接続する形態から、天井裏のスペースが狭くて済み、野縁材に取り付ける天井板の敷設位置も高く出来て広い室内が確保できるという効果がある。
【符号の説明】
【００３７】
２  天井下地材の接続具
４  水平材（梁材）
６  横材（野縁材）
８  上部材
１０  下部材
１２  止着具（ボルト）
１８  下板部
２２  突片部
２６  側面部
２７  開口部
２８  縁部
３０  固定板部
３２  掛止部
３４  立上り片
３５  傾斜片
３６  当接片
３８  溝状部
４０  基板部
４１  長辺部
４２  短辺部
４８  面取り部
【図１】
2019152065.tif 000003
【図２】
2019152065.tif 000004
【図３】
2019152065.tif 000005
【図４】
2019152065.tif 000006
【図５】
2019152065.tif 000007
【図６】
2019152065.tif 000008